(57)【特許請求の範囲】
【請求項１】
プラス端子とマイナス端子とを有し電池が収納される電池収納装置において、
開口部分から第１，第２の２個の前記電池の一方部分が前記電池の中心軸方向に挿入され前記開口部分に設けられた雌ねじ部を有するケース本体と
前記プラス端子とマイナス端子とが設けられ前記電池の他方部分を覆い開口部分に設けられた雄ねじ部を有し前記雌ねじ部に前記雄ねじ部が固定されてケース本体の前記開口部分に開口部分が固定されるカバーと
を有する電池収納ケースと、
前記カバーに設けられ前記プラス端子に一端が接続され他端が前記第１の電池のプラス極に接する第１のプラス極コイルスプリングと、
前記カバーに設けられ前記マイナス端子に一端が接続され他端が前記第２の電池のマイナス極に接し前記電池のプラス極の凸部との誤接触を回避できるように前記凸部より大きな内径を有する第１のマイナス極コイルスプリングと、
前記ケース本体に設けられ一端が前記第２の電池のプラス極に接する第２のプラス極コイルスプリングと、
前記ケース本体に設けられ一端が前記第２のプラス極コイルスプリングに接続され他端が前記第１の電池のマイナス極に接し前記電池のプラス極の凸部との誤接触を回避できるように前記凸部より大きな内径を有する第２のマイナス極コイルスプリングと、
を具備したことを特徴とする電池収納装置。
【請求項２】
プラス端子とマイナス端子とを有し電池が収納される電池収納装置において、
開口部分から第１，第２の２個の前記電池の一方部分が前記電池の中心軸方向に挿入され前記開口部分に設けられた雌ねじ部を有するケース本体と
前記プラス端子とマイナス端子とが設けられ前記電池の他方部分を覆い開口部分に設けられた雄ねじ部を有し前記雌ねじ部に前記雄ねじ部が固定されてケース本体の前記開口部分に開口部分が固定されるカバーと
を有する電池収納ケースと、
前記カバーに設けられ前記プラス端子に一端が接続され他端が前記第１の電池のプラス極に接する第１のプラス極板ばねと、
前記カバーに設けられ前記マイナス端子に一端が接続され他端が前記第２の電池のマイナス極に接する第１のマイナス極板ばねと、
この第１のマイナス極板ばねに設けられ前記電池のプラス極の凸部との誤接触を回避できるように前記凸部より大きな直径を有する第１の凸部回避穴と、
前記ケース本体に設けられ一端が前記第２の電池のプラス極に接する第２のプラス極板ばねと、
前記ケース本体に設けられ一端が前記第２のプラス極板ばねに接続され他端が前記第１の電池のマイナス極に接する第２のマイナス極板ばねと、
この第２のマイナス極板ばねに設けられ前記電池のプラス極の凸部との誤接触を回避できるように前記凸部より大きな直径を有する第２の凸部回避穴と、
を具備したことを特徴とする電池収納装置。
【発明の詳細な説明】
【技術分野】
【０００１】
本発明は、電池収納装置に関するものである。
【背景技術】
【０００２】
電池収納装置に関連する先行技術文献としては次のようなものがある。
【０００３】
【特許文献１】特開２００４−１９９９５７号公報
【特許文献２】特開２００７−３２９００５号公報
【０００４】
図６は従来より一般に使用されている従来例の要部構成説明図、図７は図６の要部構成説明図で、図６の矢印Ａ
より見た図である。
図において、電池収納ケース１は、ケース本体２とカバー３とを有する。
電池収納ケース１には、電池４，５が収納されている。
この場合は、単１電池が使用されている。
【０００５】
電池４と電池５とが、端子６と円錐コイルばね端子７を経由して直列に接続され、プレート端子８と円錐コイルばね端子９を有する回路基板１１を介してコネクタ部１２，１３より電力供給を行う。
電池４，５のプラス極側の端子が、ばね性のない固定端子６，８であり、電池４，５のマイナス極側の端子が円錐コイルばね７，９で構成されている。
【発明の開示】
【発明が解決しようとする課題】
【０００６】
このような装置においては、以下の間題点がある。
電池４，５と端子間の瞬断時に、電気容量を確保するコンデンサを有することが防爆規格上許されない電池収納装置においては、振動のない静止状態では、電池４，５のマイナス極側の端子が円錐コイルばね７，９のため、ばね力により電池４，５と端子間の瞬断及び接触不良は起きない。
【０００７】
しかし、振動状態では、電池４，５のプラス極側の端子が、ばね性のない固定端子６，８のため電池４，５と端子間の瞬断及び接触不良が振動加速度により発生し、振動状態での、例えば、無線通信機器等のエラーを引き起こしてしまう。
【０００８】
図６において、振動状態での電池４，５と端子間の瞬断及び接触不良を解決するためには、電池単体質量約１００（ｇ）に対して、５０倍のばね押さえ力５０（Ｎ）が必要となるが、使用する電池の許容押さえ力は２０（Ｎ）のため、その仕様を満たすことができない。また荷重が大きいためその組立作業性が問題となる。
【０００９】
電池４，５を誤挿入(逆挿し)した状態で、たとえば、無線通信形差圧伝送器に使用すると、電池４，５のプラス極と端子のマイナス極７，９の接触(通電)と電池のマイナス極と端子のプラス極６，８の接触(通電)のため、電池に過電流が発生し、電池の異常発熱や液洩れが生じる故障を引き起こしてしまう。
【００１０】
本発明の目的は、上記の課題を解決するもので、振動状態においても、瞬断及び接触不良を起こさない、電池収納装置を提供することにある。
また、電池の許容押さえ力を満たし、その組立作業性も良好な電池収納装置を提供することにある。
また、電池を誤挿入しても、電池に過電流が発生せず、電池の異常発熱や液洩れが生じない電池収納装置を提供することにある。
【課題を解決するための手段】
【００１１】
このような課題を達成するために、本発明では、請求項１の電池収納装置においては、
プラス端子とマイナス端子とを有し電池が収納される電池収納装置において、
開口部分から第１，第２の２個の前記電池の一方部分が前記電池の中心軸方向に挿入され前記開口部分に設けられた雌ねじ部を有するケース本体と
前記プラス端子とマイナス端子とが設けられ前記電池の他方部分を覆い開口部分に設けられた雌ねじ部を有し前記雌ねじ部に前記雄ねじ部が固定されてケース本体の前記開口部分に開口部分が固定されるカバーと
を有する電池収納ケースと、
前記カバーに設けられ前記プラス端子に一端が接続され他端が前記第１の電池のプラス極に接する第１のプラス極コイルスプリングと、
前記カバーに設けられ前記マイナス端子に一端が接続され他端が前記第２の電池のマイナス極に接し前記電池のプラス極の凸部との誤接触を回避できるように前記凸部より大きな内径を有する第１のマイナス極コイルスプリングと、
前記ケース本体に設けられ一端が前記第２の電池のプラス極に接する第２のプラス極コイルスプリングと、
前記ケース本体に設けられ一端が前記第２のプラス極コイルスプリングに接続され他端が前記第１の電池のマイナス極に接し前記電池のプラス極の凸部との誤接触を回避できるように前記凸部より大きな内径を有する第２のマイナス極コイルスプリングと、
を具備したことを特徴とする電池収納装置。
【００１２】
本発明の請求項２の電池収納装置においては、
プラス端子とマイナス端子とを有し電池が収納される電池収納装置において、
開口部分から第１，第２の２個の前記電池の一方部分が前記電池の中心軸方向に挿入され前記開口部分に設けられた雌ねじ部を有するケース本体と
前記プラス端子とマイナス端子とが設けられ前記電池の他方部分を覆い開口部分に設けられた雄ねじ部を有し前記雌ねじ部に前記雄ねじ部が固定されてケース本体の前記開口部分に開口部分が固定されるカバーと
を有する電池収納ケースと、
前記カバーに設けられ前記プラス端子に一端が接続され他端が前記第１の電池のプラス極に接する第１のプラス極板ばねと、
前記カバーに設けられ前記マイナス端子に一端が接続され他端が前記第２の電池のマイナス極に接する第１のマイナス極板ばねと、
この第１のマイナス極板ばねに設けられ前記電池のプラス極の凸部との誤接触を回避できるように前記凸部より大きな直径を有する第１の凸部回避穴と、
前記ケース本体に設けられ一端が前記第２の電池のプラス極に接する第２のプラス極板ばねと、
前記ケース本体に設けられ一端が前記第２のプラス極板ばねに接続され他端が前記第１の電池のマイナス極に接する第２のマイナス極板ばねと、
この第２のマイナス極板ばねに設けられ前記電池のプラス極の凸部との誤接触を回避できるように前記凸部より大きな直径を有する第２の凸部回避穴と、
を具備したことを特徴とする電池収納装置。
【発明の効果】
【００１３】
本発明によれば、次のような効果がある。
電池と端子間の瞬断時に電気容量を確保するコンデンサを有することが防爆規格上許されない電池収納装置において、電池両極側の端子をコイルばね端子にすることによって、静止状態だけでなく振動状態でも振動加速度で発生する電池の動きにコイルばね端子が追従し、常に接触を保つことができる。
したがって電池と端子間の瞬断及び接触不良を起こさず、振動状態での接触エラーを防止することができる電池収納装置が得られる。
【００１４】
電池両極側の端子をコイルばね端子にすることによって、振動状態に対して大きな荷重で電池を押さえなくてもよいので、使用する電池の許容押さえ力の仕様を満たすことができる。
また、大きな荷重にはならないのでその組立作業性が改善される電池収納装置が得られる。
【００１５】
製品に使用する電池を誤挿入(逆挿し)した場合、電池のプラス極は凸部箇所以外が電気絶縁されているおり、マイナス極の円筒コイルばね端子のばね頂部内径が、電池プラス極の凸部より大きいため、凸部に接触(通電)しない。
このため電池を誤挿入(逆挿し)した状態で無線通信機器等に使用した場合でも、電池に過電流が発生することはなく、電池の異常発熱や液洩れが生じる故障が起きない電池収納装置が得られる。
【発明を実施するための最良の形態】
【００１６】
以下本発明を図面を用いて詳細に説明する。
図１は本発明の一実施例の要部構成説明図、図２は図１の要部構成説明図、図３は図１のケースの組立説明図である。
図において、図６と同一記号の構成は同一機能を表す。
以下、図６との相違部分のみ説明する。
【００１７】
図１において、電池４と電池５とがプラス極コイルスプリング２１Ａとマイナス極コイルスプリング２２Ａとを経由して直列に接続され、プラス極コイルスプリング２１Ｂとマイナス極コイルスプリング２２Ｂとを有する回路基板２３を介してコネクタ部１２，１３より電力供給を行う。
プラス極コイルスプリング２１Ａ，２１Ｂは、この場合は、円錐コイルばねが使用され、ばね頂部が電池のプラス極の凸部４Ａ、５Ａと接触する。
【００１８】
マイナス極コイルスプリング２２Ａ，２２Ｂは、この場合は、円筒コイルばねが使用され、電池のプラス極の凸部４Ａ、５Ａに誤接触しないように、凸部４Ａ、５Ａより大きな内径を有し、電池のマイナス極と接触する。
そして、ケース本体２とカバー３とは、ねじ１Ａとねじ１Ｂとにより固定されるので、電池両極側ともコイルバネ端子でも組立作業性に問題は生じない。
【００１９】
この結果、
電池と端子間の瞬断時に電気容量を確保するコンデンサを有することが防爆規格上許されない電池収納装置において、電池両極側の端子をコイルばね端子２１Ａ，２１Ｂ，２２Ａ，２２Ｂにすることによって、静止状態だけでなく振動状態でも振動加速度で発生する電池の動きにコイルばね端子２１Ａ，２１Ｂ，２２Ａ，２２Ｂが追従し、常に接触を保つことができる。
したがって電池と端子間の瞬断及び接触不良を起こさず、振動状態での接触エラーを防止することができる電池収納装置が得られる。
【００２０】
電池両極側の端子をコイルばね端子２１Ａ，２１Ｂ，２２Ａ，２２Ｂにすることによって、振動状態に対して大きな荷重で電池を押さえなくてもよいので、使用する電池の許容押さえ力の仕様を満たすことができる。
また、大きな荷重にはならないのでその組立作業性が改善される電池収納装置が得られる。
【００２１】
製品に使用する電池を誤挿入(逆挿し)した場合、電池のプラス極は凸部箇所以外が電気絶縁されているおり、マイナス極の円筒コイルばね端子２２Ａ，２２Ｂのばね頂部内径が、電池プラス極の凸部より大きいため、凸部に接触(通電)しない。
このため電池を誤挿入(逆挿し)した状態で無線通信機器等に使用した場合でも、電池に過電流が発生することはなく、電池の異常発熱や液洩れが生じる故障が起きない電池収納装置が得られる。
【００２２】
図４は、本発明の他の実施例の要部構成説明図である。
図４において、電池４と電池５とがプラス極板ばね３１Ａとマイナス極板ばね３２Ａとを経由して直列に接続され、プラス極板ばね３１Ｂとマイナス極板ばね３２Ｂとを有する回路基板３３を介してコネクタ部１２，１３より電力供給を行う。
【００２３】
そして、凸部回避穴３４Ａ，３４Ｂは、マイナス極板ばね３２Ａ，３２Ｂに設けられ、電池４，５のプラス極の凸部との誤接触を回避できるように、凸部より大きな直径を有する。
この場合は、図５に示す如く、プラス極板ばね３１Ａとマイナス極板ばね３２Ａとは、一体的に構成されている。
【００２４】
この結果、
電池と端子間の瞬断時に電気容量を確保するコンデンサを有することが防爆規格上許されない電池収納装置において、電池両極側の端子を板ばね３１Ａ，３１Ｂ，３２Ａ，３２Ｂにすることによって、静止状態だけでなく振動状態でも振動加速度で発生する電池の動きに板ばね３１Ａ，３１Ｂ，３２Ａ，３２Ｂが追従し、常に接触を保つことができる。
したがって電池と端子間の瞬断及び接触不良を起こさず、振動状態での接触エラーを防止することができる電池収納装置が得られる。
【００２５】
電池両極側の端子を板ばね３１Ａ，３１Ｂ，３２Ａ，３２Ｂにすることによって、振動状態に対して大きな荷重で電池を押さえなくてもよいので、使用する電池の許容押さえ力の仕様を満たすことができる。
また、大きな荷重にはならないのでその組立作業性が改善される電池収納装置が得られる。
【００２６】
製品に使用する電池を誤挿入(逆挿し)した場合、電池のプラス極は凸部箇所以外が電気絶縁されているおり、マイナス極の板ばね３２Ａ，３２Ｂの凸部回避穴３４Ａ，３４Ｂが、電池プラス極の凸部より大きいため、凸部に接触(通電)しない。
このため電池を誤挿入(逆挿し)した状態で無線通信機器等に使用した場合でも、電池に過電流が発生することはなく、電池の異常発熱や液洩れが生じる故障が起きない電池収納装置が得られる。
【００２７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２８】
【図１】本発明の一実施例の要部構成説明図である。
【図２】図１の要部構成説明図である。
【図３】図１のケースの組立説明図である。
【図４】本発明の他の実施例の要部構成説明図である。
【図５】図４の要部構成説明図である。
【図６】従来より一般に使用されている従来例の構成説明図である。
【図７】図６の要部構成説明図である。
【符号の説明】
【００２９】
１      電池収納ケース
１Ａ    ねじ
１Ｂ    ねじ
２      ケース本体
３      カバー
４      電池
４Ａ    電池のプラス極の凸部
５      電池
５Ａ    電池のプラス極の凸部
６      端子
７      円錐コイルばね端子
８      プレート端子
９      円錐コイルばね端子
１１    回路基板
１２    コネクタ部
１３    コネクタ部
２１Ａ  プラス極コイルスプリング
２１Ｂ  プラス極コイルスプリング
２２Ａ  マイナス極コイルスプリング
２２Ｂ  マイナス極コイルスプリング
２３    回路基板
３１Ａ  プラス極板ばね
３１Ｂ  プラス極板ばね
３２Ａ  マイナス極板ばね
３２Ｂ  マイナス極板ばね
３３    回路基板
３４Ａ  凸部回避穴
３４Ｂ  凸部回避穴
【図１】
0005477613.tif 000002
【図２】
0005477613.tif 000003
【図３】
0005477613.tif 000004
【図４】
0005477613.tif 000005
【図５】
0005477613.tif 000006
【図６】
0005477613.tif 000007
【図７】
0005477613.tif 000008